(57)【要約】【課題】従来の枕は高さおよび形状を変更する場合は、枕材の量を調節しなければならず面倒である。また、首の長さ、首の曲線に合わせて容易に調節出来ず、自分の頭および首の位置を枕に合わせなくてはいけなかった。【解決手段】枕本体１を縫い止め６の位置で、右部２左部３および中央部４に分け、枕材の量と高さを容易に調節出来るようにした。この事により就寝時頭を乗せたまま両手で調節し、頭の形、首の長さ、首の曲線に合わせ一番楽な姿勢で眠る事が出来る。【選択図】図１
0003136261.tif 000002
【実用新案登録請求の範囲】
【請求項１】
枕内部が１空間であることを特徴とし、容易に高さと形状を変更できる枕とその縫い方。
【請求項２】
前記枕の内容物、枕材はパイプ状または球状を基本とし、自由に枕内部を移動できる特徴をもつ物で構成されている請求項１記載の枕とその縫い方
【請求項３】
前記枕の頭に接する側表面を伸縮性のある布、裏面を伸縮性の無い厚手の布で構成している特徴を持つ請求項１の枕とその縫い方。
【考案の詳細な説明】
【技術分野】
【０００１】  この考案は睡眠時に使用する枕の形状およびその縫い方に関する。
【背景技術】
【０００２】  従来の枕の高さの調節はその都度枕材の量を調節するもので容易に形状を変更できない。
【考案の開示】
【考案が解決しようとする課題】
【０００３】  従来の枕は完成後に高さおよび形状を変更する場合は、その都度枕材の量を調節しなければならない。又首の部分も縫いきってあるため、首の長さ、首の曲線に合わせて調節出来ず、枕に自分の頭の位置首の位置を合わせて眠らなければならず、今ひとつ疲れが取れない。
そこで、この考案は高さおよび形状の変更を容易にし、安眠できる枕を提供することを課題とする。
【課題を解決する為の手段】
【０００４】  以上の課題を解決するために、第一考案は枕の内部を１空間とすることを特徴とする枕とその縫い方である。
第二考案は枕の内部を１空間とし、その枕材は自由に枕内部を移動できることを特徴とする枕とその縫い方である。
第三考案は枕の内部を１空間とし、その枕の頭に接する側表面を伸縮性のある布、裏面を伸縮性の無い布で構成している特徴を持つ請求項１の枕とその縫い方である。
【考案の効果】
【０００５】第一考案、第二考案および第三考案によれば、下記の効果が得られた。
１  ストレートネックによる首の疲れと肩の鈍痛が改善された。
２  いびきの音が小さくなり、いびきをかかない状態が長くなった。
３  時々起きていた無呼吸症の症状が見られなくなった。
４  上を向いて寝られる様になった。
５  寝相が良くなった。
６  第三考案により、敷き布団の材質、硬さに左右されず、一定の形状を保った。
【考案を実施するための最良の形態】
【０００６】  この考案の実施形態を図１、図２に示す。
横幅３０ｃｍから５０ｃｍ、縦幅２０ｃｍから４０ｃｍの布製の袋、枕全本体１を右部２左部３と中央部４の様に３分割して縫う。この時分割するための２本の縫い目は、下から５ｃｍから１５ｃｍの縫い止め位置６で止め、枕材が枕全体を移動出来る様に枕内部を１つの空間にする。右部２左部３の横幅はほぼ同じとする。【０００７】  中央部４上部には硬い布で出来ている２ｃｍから５ｃｍ幅の硬いテープ５を縫い付ける。
枕材を適量入れ、中心層上部に付けたテープをもち平面に置き両側の層にそれぞれ最大容量の９０％以上の枕材を入れ、中心層には最大容量の５０％から７０％の枕材を入れる。【０００８】  この時使用する枕材は、枕内部を自由に移動する形状および素材とする。具体的には樹脂製のパイプ、樹脂製のビーズ、樹脂製のチップ、そばがら、アズキ、炭、木製のチップ、鉱石類等とし、人体に無害なものとする。【０００９】  就寝時には中央部に頭を置き、頭の形、首の長さ、首の曲線に合わせて枕材を両手で移動させ使用する。【００１０】「実施形態の効果」
両側の層には、顔をもたれさせるという役割がある。
硬い布製のテープを縫い付けることは、枕の上下を明確にすると共に左右のたるみを防止する効果がある。
【図面の簡単な説明】
【図１】この考案の一実施形態を示す斜視図。
【図２】この考案の一実施形態を示す平面図。
【符号の説明】
１  枕本体  ２  右部  ３  左部  ４  中央部  ５  硬いテープ  ６  縫い止め位置  ７  ファスナー位置
【図１】
0003136261.tif 000003
【図２】
0003136261.tif 000004
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
図２の様に縫った事による枕内部が１空間であるという構造。
【請求項２】
図１に示した、中心部に５０％〜７０％、両側に９０％以上の枕材を入れた３分割形状。
【請求項３】
枕の裏面に伸縮性のない布、側表面に伸縮性のある布を使用する布の組み合わせ。
【手続補正書】
【提出日】平成18年12月10日(2006.12.10)
【手続補正１】
【補正対象書類名】実用新案登録請求の範囲
【補正対象項目名】全文
【補正方法】変更
【補正の内容】
【実用新案登録請求の範囲】
【請求項１】
形状が容易に変更できる三分割構造の枕。
中央部に５０〜７０％、両側に９０％の枕材を入れ、頭の形、首の曲線や長さに応じて自由に枕材の移動ができるようにした三分割構造の枕。
【請求項２】
内部が１空間となる請求項１記載の枕。
中央部と左右部との境界を下部より７〜８ｃｍの位置で縫い止めすることにより枕材の移動を可能にした枕内部が１空間となる請求項１記載の枕。
【請求項３】
枕裏面と側表面が伸縮性の異なる特徴を持つ請求項１記載の枕。
枕裏面を伸縮性の無い布、側面および表面を伸縮性のある布とすることにより枕材の移動を容易にし、枕の形状の維持を可能にした請求項１記載の枕。
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
形状が容易に変えられる三分割構造の枕。
縦３５ｃｍ横５０ｃｍの袋状の布（縦３５ｃｍの片側は、フアスナ―）を縦に巾１７ｃｍ・１６ｃｍ・１７ｃｍの割合で三分割します。
三分割のために縦に縫う２本の縫い目は３５ｃｍの長さ全部を縫わず、２本共に上から２７ｃｍの位置で縫い止めます。この縫い方により枕内部が三分割されると共に、下部８ｃｍがつながっていて自由に枕材が移動させられる枕となります。
三分割した枕の両側（巾１７ｃｍ）の部分に９０％強の枕材を入れ、中央部（１６ｃｍ）の部分には５０〜７０％の枕材を入れます。この割合で入れる事により枕材の移動が可能になります。
就寝時枕に頭を乗せたままスムーズ且つ簡単に枕材を移動させる為には、伸縮性のある布でなければなりません。
しかし全体を伸縮性のある布にしてしまうと、枕の形が定まらず就寝中に枕の形が変わってしまうため、枕の表面部には伸縮性に富んだ布を使い、枕の裏面には伸縮性の無い布を使いました。この事により、頭のかたち、首の曲線、首の長さ、に応じて容易に枕材を移動し、就寝中も安定した形状を保つ事が出来ました。
以上の条件を満たして、形状が容易に変えられる三分割構造枕の完成です。尚  上記の枕のサイズは基本型です。よって、サイズの変更は可能です。
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
内部が１空間となる三分割構造の枕であって、中央部と左右部との境界を下部より７〜８ｃｍの位置で縫い止めすることにより枕材の移動を可能にしたことを特徴とする三分割構造の枕。
【請求項２】
中央部に５０〜７０％、両側に９０％の枕材を入れたことを特徴とする請求項１に記載の枕。
【請求項３】
枕裏面を伸縮性の無い布、側面および表面を伸縮性のある布とすることにより枕材の移動を容易にし、枕の形状の維持を可能にした請求項１記載の枕。